(57)【要約】【課題】冷蔵温度帯で保存する食品と、食品を収納する容器を、容器ごと冷蔵庫外へ持ち出し、冷蔵庫外における温度保持を可能とした冷蔵庫の提供。【解決手段】冷蔵室１４に冷蔵温度で凝固する蓄冷材６２を搭載した蓄冷貯蔵部材６０の外郭部材６１の上面部は、中央から広域の凹形状である貯蔵部６３を設け、設置部との勘合保持部である嵌合部５５や底凸部６６と、持ち手部６５を備えたことで、食品の冷蔵温度保持ができる容器の持ち出しが可能となり、使い勝手が大きく向上する。【選択図】図８
2020008259.tif 000002
【特許請求の範囲】
【請求項１】
冷蔵室で凝固する蓄冷材を備えた冷蔵庫において、前記蓄冷材は、熱伝導率が裏面より表面が高い材料で構成されたことを特徴とする冷蔵庫。
【請求項２】
冷蔵庫本体の前面開口部を開閉する扉を有し、前記扉の内側の冷蔵貯蔵室には、食品を貯蔵する貯蔵部と、冷蔵室で凝固する蓄冷材とで構成された蓄冷貯蔵部材を備えた冷蔵庫において、前記蓄冷貯蔵部材が着脱可能として前記冷蔵室内の食品収納部に設置されたことを特徴とする請求項１に記載の冷蔵庫。
【請求項３】
前記蓄冷貯蔵部材は、前記食品収納部と嵌合する嵌合保持部を設けたことを特徴とする請求項２記載の冷蔵庫。
【請求項４】
前記蓄冷貯蔵部材は、持ち手部を備えたことを特徴とする請求項２または３記載の冷蔵庫。
【請求項５】
前記開閉扉は、前記冷蔵室内側の内板に、前記蓄冷貯蔵部材との嵌合保持部を設けたことを特徴とする請求項２または４のいずれかに記載の冷蔵庫。
【発明の詳細な説明】
【技術分野】
【０００１】
本発明は冷蔵庫に関し、特にその冷蔵室構成に関するものである。
【背景技術】
【０００２】
一般に冷蔵庫は複数の温度帯貯蔵室を持ち、冷凍温度帯貯蔵室において、冷凍温度で凝固する蓄冷材を搭載した収納部を備えているものがある。（例えば、特許文献１参照）。
【先行技術文献】
【特許文献】
【０００３】
【特許文献１】特開２０１２−０１７９６８号公報
【発明の概要】
【発明が解決しようとする課題】
【０００４】
上記特許文献１記載の冷蔵庫は、冷凍室で凝固する蓄冷材を搭載した貯蔵部材を冷凍温度帯貯蔵室に設けており、冷蔵温度で保存された対象食品を冷凍温度の蓄冷材を搭載する貯蔵部材に入れて冷蔵庫外に持ち出すためには、対象食品と貯蔵部材を別々で冷蔵庫に保存する必要があり、使用上不便である。また、予め対象食品を、冷凍温度で凝固する蓄冷材を搭載する貯蔵部材を冷凍室に入れて、冷凍室保存することは、冷蔵温度保存を対象とする食品に対しては、凍結するため不適である。
【課題を解決するための手段】
【０００５】
本発明は、上記目的を達成するため、本発明の冷蔵庫は冷蔵温度帯貯蔵室に、冷蔵温度で凝固する蓄冷材を搭載した貯蔵部材を設けたものである。
【０００６】
これにより、冷蔵温度で保存したい対象食品を、蓄冷材を搭載した貯蔵部材に貯蔵し、さらに、冷蔵温度で保持した状態で貯蔵部材ごと冷蔵庫外に持ち出すことができる。
【発明の効果】
【０００７】
本発明は、上記構成により、冷蔵温度で保存された食材や調味料を冷蔵温度のまま食卓等の冷蔵庫外に持ち出し、持ち出し後も冷蔵温度状態を一定時間保持することができ、
生活習慣の多様化に対応した使い勝手の良い冷蔵庫とすることができる。
【図面の簡単な説明】
【０００８】
【図１】本発明の実施の形態１における冷蔵庫の正面図
【図２】同冷蔵庫の内部を示す正面図
【図３】同冷蔵庫の断面図
【図４】同冷蔵庫の冷蔵室内を示す正面図
【図５】同冷蔵庫の冷蔵室内を示す断面図
【図６】同冷蔵庫の冷蔵室内を示す断面斜視図
【図７】同冷蔵庫の天面板部材を示す平面図
【図８】同冷蔵庫の天面板部材を示す段面図
【図９】同冷蔵庫の開扉状態を示す斜視図
【図１０】同冷蔵庫の冷蔵室扉の断面図
【図１１】同冷蔵庫の蓄冷ユニットの斜視図
【図１２】同冷蔵庫の蓄冷ユニットの断面図
【図１３】同冷蔵庫の蓄冷材温度と持ち出しの経時変化を示した図
【発明を実施するための形態】
【０００９】
第1の発明は、冷蔵室で凝固する蓄冷材を備えた冷蔵庫において、前記蓄冷材は、熱伝導率が裏面より表面が高い材料で構成としてある。
【００１０】
これにより、蓄冷材の表面に貯蔵物を置いた時に、貯蔵物に効率よく熱伝導を行うことができ、冷却促進することができる。
【００１１】
第２の発明は、冷蔵庫本体の前面開口部を開閉する扉を有し、前記扉の内側の冷蔵貯蔵室には、食品を貯蔵する貯蔵部と、冷蔵室で凝固する蓄冷材とで構成された蓄冷貯蔵部材を備えた冷蔵庫において、前記蓄冷貯蔵部材が着脱可能として前記冷蔵室内の食品収納部に設置した構成としてある。
【００１２】
これにより、冷蔵温度で保存したい食品を、蓄冷材を搭載した貯蔵部材に貯蔵し、さらに、蓄冷材が融解するまでの一定時間において、冷蔵温度で保持した状態で貯蔵部材ごと食品を冷蔵庫外に持ち出すことができる。
【００１３】
第３の発明は、前記蓄冷貯蔵部材は、前記食品収納部と嵌合する嵌合保持部を設けた構成としてある。
【００１４】
これにより、食品貯蔵時の食品出し入れにおける蓄冷貯蔵部材の固定の安定性を確保し、また蓄冷貯蔵部材の設置状態の自由度を高め、使い勝手の向上を図ることができる。
【００１５】
第４の発明は、前記貯蔵部材は、持ち手部を備えた構成としてある。
【００１６】
これにより、食品を貯蔵した状態での蓄冷貯蔵部材の冷蔵庫外への持ち運び性を向上させることができ、使い勝手の向上を図ることができる。
【００１７】
第５の発明は、前記開閉扉は、冷蔵室内側の内板に、前記蓄冷貯蔵部材との嵌合保持部を構成したとしてある。
【００１８】
これにより、冷蔵室内の扉側に蓄冷貯蔵部材を設けることで、扉側の貯蔵部の自由配置が可能となり、使い勝手の向上を図ることができる。また、冷蔵室扉の内側に固定される蓄冷貯蔵部材の嵌合保持部と、扉の内板の嵌合保持部が連結することで、より強固になり、蓄冷貯蔵部材の固定の安定性を向上させることができる。
【００１９】
以下、本発明の実施の形態について、図面を参照しながら説明する。なお、この実施の形態によって本発明が限定されるものではない。
【００２０】
（実施の形態１）
図１〜図６は冷蔵庫の全体及び各部構成を説明する図、図７〜１０は蓄冷貯蔵部材を説明する図、図１１〜１２は蓄冷貯蔵部材に付設する蓄冷ユニットを説明する図である。
【００２１】
（１．冷蔵庫の全体構成）
まず図１〜図３を用いて冷蔵庫の全体構成を説明する。
【００２２】
図１〜図３において、本実施の形態に係る冷蔵庫は、前方を開口した冷蔵庫本体１を備え、この冷蔵庫本体１は金属製の外箱２と、硬質樹脂製の内箱３と、前記外箱２および内箱３の間に発泡充填された発泡断熱材４とで構成してあり、仕切板５、６等によって複数の貯蔵室が仕切形成してある。
【００２３】
また、前記冷蔵庫本体１の各貯蔵室は冷蔵庫本体１と同様の断熱構成を採用した回動式の扉７或いは引出し式の扉８、９、１０、１１で開閉自在としてある。
【００２４】
冷蔵庫本体１内に形成した貯蔵室は、最上部の冷蔵室１４と、冷蔵室１４の下に設けた温度帯切り替え可能な切替室１５及びその横に設けた製氷室１６と、切替室１５及び製氷室１６と最下部の野菜室１７との間に設けた冷凍室１８で構成している。
【００２５】
冷蔵室１４の温度は通常約３℃で、冷蔵保存のために凍らず、また食品の菌の発生を抑制するため１℃〜１０℃としている。野菜室１７は、冷蔵室１４の温度より若干高い約７℃を通常の設定としている。また冷凍室１８は通常約−２０℃で設定されているが、冷凍保存状態向上のために約−３０℃とする場合もある。製氷室１６は、冷凍室１８と近い温度設定であり、また切替室１５は、冷蔵室１４と同等の温度から冷凍室１８と同等の温度まで温度の設定を変化させることができる。
【００２６】
また、冷蔵庫本体１の冷凍室１８背面には冷却室２３が設けてあり、この冷却室２３には冷気を生成する冷却器２４と、冷気を前記各室に供給する冷却ファン２５とが設置してある。
【００２７】
冷却器２４は、圧縮機２７と、コンデンサ（図示せず）と、放熱用の放熱パイプ（図示せず）と、キャピラリーチューブ（図示せず）とを環状に接続して冷凍サイクルを構成しており、圧縮機２７によって圧縮された冷媒の循環によって冷却を行う。
【００２８】
また、冷却ファン２５は冷却器２４の上方に設けてあり、その下流側に連なる冷蔵室ダクト２８、冷凍室ダクト２９、を介して冷蔵室１４、冷凍室１８、野菜室１７等に冷気を供給し、これら各室を冷却するようになっている。
【００２９】
（２．冷蔵室構成）
次に図３〜図１０を用いて冷蔵室構成を説明する。
【００３０】
冷蔵室１４は、冷蔵庫本体１の最上部に位置していて、透光性の材料で形成した複数の棚板２０を着脱自在に設けて冷蔵室内空間を上下複数の空間に仕切るとともに、下部に低温貯蔵室２１が設けてある。
【００３１】
冷蔵室１４の背面には前記した冷蔵室ダクト２８が設けてある。この冷蔵室ダクト２８は発泡スチロールからなる断熱部材と冷蔵室側表面の樹脂製カバー部材で覆って構成してあり、冷蔵室１４と冷凍室１８との間を仕切る仕切板５の冷気供給口を覆う如く冷蔵室背面に装着して冷却室２３と連通させてある。
【００３２】
冷蔵室ダクト２８は冷蔵室ダクト吐出口３０、と冷蔵室ダクト戻り口３１を備えており、冷却室２３と連通している。冷蔵室ダクト吐出口３０は、冷蔵室ダクト戻り口３１に対し高い配置で構成されている。
【００３３】
上記冷気供給口には冷蔵室ダンパが組み込んであり、この冷蔵室ダンパ３７の開閉によって冷却室２３から冷蔵室１４への冷気の供給量を制御するようになっている。
【００３４】
低温貯蔵室２１はその冷却温度帯が、微凍結保存に適した−５〜３℃の低め温度であるパーシャル温度、または、冷蔵室１４よりも低いがパーシャル室よりは高い１℃前後の高め温度のチルド温度に冷却可能な構成としてある。
【００３５】
冷蔵室１４内を上下空間に区画する複数の棚板２０の下方で冷蔵室１４と低温室２１とを断熱区画する冷蔵室１４の貯蔵棚５０であり、上記低温貯蔵室２１の天面となる天面板部材（以下、天面板部材５０）には発泡スチロール等からなる断熱材５３が組み込んである。天面板部材冷蔵室１４の温度帯の貯蔵棚でもある天面板部材５０の上面部５０ａには凹部５４が設けられている。凹部５４に対応する断熱材５３の形状も同様の凹み形状を構成している。
【００３６】
蓄冷貯蔵部材６０は、天面板部材５０に設けられた天面板凹部５４に着脱可能に設置されている。凹部５４には凸形状をした天面板嵌合部５５が設けられており、蓄冷貯蔵部材６０側の蓄冷貯蔵部材勘合部５６と合わさることで固定し、使用時における固定の安定性を確保している。
【００３７】
蓄冷貯蔵部材６０は、樹脂部材等で構成された外郭部材６１の内部に蓄冷材６２を収納している。外郭部材６１の上面部は、中央から広域の凹形状である貯蔵部６３を設け、外周は天面板部材５０の上面部５０ａと同面になるよう構成され、配置されている。
【００３８】
天面板部材５０の一部分に手の指を挿入できる挿入凹部８２を設け、蓄冷貯蔵部材６０の外郭部材６１に持ち手部６５を設けている。挿入凹部８２と持ち手部８３の間には空間が設けられ、指が入る寸法を確保しており着脱し易くしている。
【００３９】
外郭部材６１の底部には、蓄冷貯蔵部材６０を支持する底凸部６６や、底面凹部６７が設けられ、凹部５４との間に空間が構成される。これにより、外郭部材６１の底部に空気層を設けることで、外郭部材６１を介して凹部５４側に熱伝導することを抑制し、上面側の貯蔵部６３をより効果的に熱伝導させることができ、また天面板部材５０の下側の低温貯蔵室２１への温度影響を抑制することができる。
【００４０】
底凸部６６は、天面板凹部５４の底側に設けられた設置凹部と合わさることで、蓄冷貯蔵部材６０の設置位置の安定性を高め、使用おけるガタつきを抑制している。
【００４１】
冷蔵室の回転式の扉７には、扉貯蔵部材７０を設置している。扉貯蔵部材７０は、貯蔵部材容器７１と、扉貯蔵部材持ち手部７２と、扉貯蔵部材嵌合部７３を設けている。扉貯蔵部材嵌合部７３は、扉内板７４に設けられた凹形状をした扉内板勘合部７５に挿入嵌合にて固定されており、扉貯蔵部材７０の容易な着脱と強固な固定を可能としている。
【００４２】
扉内板勘合部７５は、扉内板７４に複数個所設けられており、食生活に合わせて、扉貯蔵部材７０を自由な場所に配置し固定することができる。
【００４３】
扉貯蔵部材７０の底側に設けられた扉貯蔵部材底凸部７６は、扉貯蔵部材７０を冷蔵庫外に持ち出し、食卓等に置く場合において、扉貯蔵部材底凸部７６が支持部となり、設置の安定性を確保することができる。
【００４４】
扉貯蔵部材７０の貯蔵部内に別体構造とした蓄冷ユニット８０を備えており、蓄冷ユニット８０は着脱可能な構成としている。
【００４５】
（３．蓄冷ユニット構成）
次に図１１〜図１２を用いて蓄冷ユニット構成を説明する。
【００４６】
蓄冷ユニット８０は、外郭部を上下に分割した樹脂材料系で成型された枠体形状をした上外郭部材８１と、上外郭部材８１の裏側から組み込まれる金属材料等の高熱伝導部材で形成された冷却板８２と、上外郭部材８１と嵌合組立てを行う樹脂材料系で成型された下外郭部材８３とで構成される外郭の内側に、金属フィルム等の袋部材８４に蓄冷材６２を封入し、構成してある。具体的にはアルミ箔を積層加工したフィルムの袋部材で形成されている。
【００４７】
すなわち、貯蔵物を載置する蓄冷ユニット８０の表面は、金属材料等の高熱伝導部材で形成され、裏面は金属材料ではなく、ガラスや樹脂等の金属より熱伝導が小さい材料で形成されているため貯蔵物への熱伝導率を高め、冷却ロスを低減することができる。
【００４８】
また、蓄冷材６２の底面側に空気層を設けることで、蓄冷材６２介して底面側に熱伝導することを抑制できる。さらに、下外郭部材８３と設置面との間に、空間部を形成することで、蓄冷ユニットの底面側への熱伝導を抑制することができる。
【００４９】
冷却板８２の外周部には段差部を備え、段差部の上面に上外郭部材８１が重なって配置し、冷却板８２の上面の外周部と上外郭部材８１とが略同一面となるように構成されている。
【００５０】
冷却板８２の上面に中央から広域の凹形状である上面凹部８６を設けている。上面凹部８６を設けたことで、貯蔵する食品の収納をし易くしている。また、外周の段差部の形状と合わせて冷却板８２に絞り加工を設けたことで、剛性が高くなり、蓄冷材６５が相変化に伴って体積変化したときに冷却板６２が変形するのを抑制できる。
【００５１】
蓄冷材６２を封入した袋部材８４は蓄冷ユニット８０の内部で冷却板８２のみと接着剤や両面テープなどの接着材で接着されている。また、液体状態の蓄冷材８５と上外郭部材８１や下外郭部材８３との間には空間部が形成されるように構成されている。蓄冷材６５が相変化して凝固した状態でも、蓄冷ユニット８０内で冷却板８２への熱伝導は維持しながら、上外郭部材８１や下外郭部材８３への接触による変形を抑制し、冷却板８２の対向面となる下外郭部材８３に対して袋部材６４を接着しないので袋部材８４の破損を防止することができる。
【００５２】
扉貯蔵部材７０については、蓄冷ユニット８０を別体構造とすることで、蓄冷材６２を設けた部材の生産性を向上させると共に、ユニットとして容器側と分離できることにより、清掃性を向上させることができる。
【００５３】
蓄冷貯蔵部材６０は、蓄冷材６２を内部に搭載した一体構造で説明したが、扉貯蔵部材７０の様に、貯蔵部材容器７１と蓄冷ユニット８０別体構造としても良い。
【００５４】
蓄冷材６２は、冷蔵室の冷蔵温度で凝固する材料を用いており、例えば特開２０１７-００３１８２号公報等の材料を使用している。具体的には、第四級アンモニウム塩のクラスレートハイドレートのように冷却によりクラスレートハイドレートを形成する材料の中には、０℃より高い融点（クラスレートハイドレートの分解が始まる温度）を有する材料がある。例えば、テトラブチルアンモニウムブロマイド（ＴＢＡＢ）のクラスレートハイドレートは約５〜１２℃の融点を有するものがある
袋部材８４に封入されている蓄冷材６２の内部には、金属ウール等の熱伝導促進部材８５が浸漬した構成とし、前記熱伝導促進部材８５は袋部材６４と少なくとも一箇所以上の接触部を有するように螺旋状に収納された状態としてある。
【００５５】
以上のように構成した冷蔵庫について、以下、その動作と作用効果を説明する。
【００５６】
冷蔵庫は、冷蔵室１４の温度が設定温度より高くなると、圧縮機２７と冷却ファン２５を駆動し、冷却器２４で生成された冷気を、冷却ファン２５の下流側に供給する。
【００５７】
冷却ファン２５の下流側に供給された冷気は、冷蔵室ダクト２８等を介して、冷蔵室１４、野菜室１７、冷凍室１８、低温貯蔵室２１に供給され、各室を冷却する。そして、前記各室への冷気供給はダンパ（図示せず）の開閉によってそれぞれ制御され、冷蔵室１４、野菜室１７、冷凍室１８、低温貯蔵室２１をそれぞれの設定温度に冷却する。
【００５８】
冷却室２３から冷蔵室ダクト２８に供給された冷気は、冷蔵室１４内を循環し、また冷却室２３に戻っていく。この間の庫内温度変化状況については、冷蔵室温度センサ（図示せず）からの出力に基づき、ダンパ開閉によってよって冷気供給量を制御し温度制御が行われる。
【００５９】
次に、図１３で、蓄冷貯蔵部材による保冷効果について説明する。
【００６０】
一般的に食材温度が約２０℃〜５０℃の温度帯のときに食中毒菌が発育し易い温度帯と言われている。持ち出した食品がこの温度まで上昇することを抑制することで安全性を確保することができる。また冷蔵温度帯で美味しく食べることに適した食品については、持ち出した後も長く冷蔵温度帯で食品温度を保持することができる。
【００６１】
蓄冷材は潜熱１００J ／ｇ以上、過冷却深度も加味し０℃以上で凝固し、融点１０℃以下の材料を用いることで保冷の効果を確保する。
【００６２】
図１３は、常温の蓄冷材６２を冷蔵室１４内の所定位置に収納した時点からの温度変化を示す。蓄冷材６２は、前述の材料で、凝固点が例えば５℃、融点は例えば７℃の材料を用いている。冷蔵室温度が約３℃の場合、蓄冷材６２は冷蔵室温度近傍まで過冷却深度となって過冷却し、過冷却解除後に凝固し始め、凝固点の５℃まで上昇した後、蓄冷材６２は冷蔵室温度で固体となった状態で維持している。
【００６３】
冷蔵室で貯蔵した食品が入った蓄冷貯蔵部材６０や扉貯蔵部材７０を、食品を入れた状態のまま冷蔵庫外に持ち出す。凝固した状態の蓄冷材６２は、融解温度（７℃）付近まで食品と共に徐々に上昇する。その後、蓄冷材６２の潜熱効果により融解温度付近で一旦温度が安定する。その後、潜熱を使った後、再び温度が上昇する。蓄冷材６２の潜熱効果が継続される状態の内に、再び蓄冷貯蔵部材を冷蔵室内に戻せば、食品温度が冷蔵温度帯以上になることを抑制できる。
【００６４】
蓄冷材６２の潜熱を有効的に利用することで保冷効果を高めることができる。そのためには蓄冷材６２内全体の潜熱をすばやく食品に伝え、蓄冷材６２全体で熱交換を行える状況にする必要がある。熱伝導促進部材８５は、銅やアルミ材料をウール状に形成されたものであり、袋部材６４内全体に広がるようにして袋部材８４にも接触する程度の量を設置してある。これによって冷却板８６から離れた位置にある蓄冷材６２においても、有効的に活用することができる。
【００６５】
蓄冷貯蔵部材６０や扉貯蔵部材７０は、通常、冷蔵室１４内の温度と同じ温度で維持されている。冷蔵室で冷やされた食品を、蓄冷貯蔵部材６０や扉貯蔵部材７０に収納することで、扉開閉時等により庫内温度が上昇する状況においても、食品の庫内温度変化に対しての影響がちいさくなり、食品鮮度の劣化を抑制できる。
【００６６】
また蓄冷材６２の凝固点が５℃で、冷蔵室温度（約３℃）より高いため、冷蔵室１４内に入れた状態で凝固するので、蓄冷貯蔵部材６０は取り出すことなく、冷蔵室１４内に入れたままで使うことができる。
【００６７】
冷蔵庫外へ持ち出しした使用後、製品設置後の初期運転時、および温度の高い状態の食品を投入後の蓄冷材６２融解後の状態において、蓄冷材６２を短時間で冷却し凝固させる必要があり、蓄冷貯蔵部材６０の冷却手段を設け、蓄冷材６２の凝固速度を向上させる。
【００６８】
冷蔵室ダクト吐出口３０から吐出された冷気は、蓄冷ユニット６０の上面空間を循環し、蓄冷貯蔵部材６０の上面空間を冷却する。冷気が下側へ溜まることを利用し、挿入凹部６４と持ち手部６５のように意図的に設けられた空間から冷気を流入させることで、蓄冷貯蔵部材６０周辺の対流を起すことで凹部５４内の空間を冷却する。このとき、蓄冷貯蔵部材６０を支持する底凸部６６と底面凹部６７によって、蓄冷貯蔵部材６０の底面に空間が設けられ、冷気の対流による広範囲での冷却を可能にする。
【００６９】
また、蓄冷材６２の融解や凝固状態を温度等によって感知するセンサーを設けることで、蓄冷貯蔵部材６０の専用冷却手段を制御することで、蓄冷材６２の凝固速度を向上させる。
【００７０】
扉貯蔵部材７０は、扉内板７４の全体的に複数個所並べられた状態で設けられた扉内板勘合部７５のどこの位置でも自由に配置し、固定することができる。個人の食生活に応じた使い勝手の良い配置を、個人で自由に決めることができる。
【００７１】
扉貯蔵部材持ち手部７２は、持ち易さを考慮した場合、可動式にしてぶら下げ構造とすることもできる。通常は意匠性のための部材として存在し、持ち運び利用時には、扉貯蔵部材持ち手部７２を扉貯蔵部材容器７１に対して垂直になる状態に配置することで、扉貯蔵部材持ち手部７２が握り易い状態となり、持ち運びにおける使い易さを向上させることができる。
【００７２】
蓄冷貯蔵部材６０は持ち運び可能としたが、蓄冷材６２と冷蔵室１４内の複数段のトレイのうちいずれかのトレイと一体化されていて、トレイごと取り外すこととしてもよく、冷蔵室１４内を循環する冷気は室内の下方領域ほど温度が低く分布されているので、最下段のトレイに設置されることで、蓄冷材の凝固までの時間を短縮することができる。
【００７３】
以上、本発明に係る冷蔵庫について、上記実施の形態を用いて説明したが、本発明は、これに限定されるものではない。すなわち、今回開示された実施の形態はすべての点で例示であって制限的なものではないと考えられるべきである。つまり、本発明の範囲は上記した説明ではなくて特許請求の範囲によって示され、特許請求の範囲と均等の意味及び範囲内でのすべての変更が含まれることが意図される。
【産業上の利用可能性】
【００７４】
本発明は、冷蔵温度帯で保存した食品を低温保存した状態で持ち出すことができ、食生活の多様化に対応した使い勝手の良い冷蔵庫とすることができる。よって、家庭用および業務用など様々な種類および大きさの冷蔵庫に適用することができる。
【符号の説明】
【００７５】
１  冷蔵庫本体
２  外箱
３  内箱
４  発泡断熱材
５、６  仕切板
７、８、９、１０、１１  扉
１４  冷蔵室
２０  棚板
２１  低温貯蔵室
２３  冷却室
２４  冷却器
２５  冷却ファン
２８  冷蔵室ダクト
３０  冷蔵室ダクト吐出口
３１  冷蔵室ダクト戻り口
５０  天面板部材
５３  断熱材
５４  天面板凹部
５５  天面板嵌合部
５６  蓄冷貯蔵部材勘合部
５７  設置凹部
６０  蓄冷貯蔵部材
６１  外郭部材
６２  蓄冷材
６３  貯蔵部
６４  挿入凹部
６５  持ち手部
６６  底凸部
６７  底面凹部
７０  扉貯蔵部材
７１  扉貯蔵部材容器
７２  扉貯蔵部材持ち手部
７３  扉貯蔵部材嵌合部
７４  扉内板
７５  扉内板嵌合部
７６  扉貯蔵部材底凸部
８０  蓄冷ユニット
８１  上外郭部材
８２  冷却板
８３  下外郭部材
８４  袋部材
８５  熱伝導促進部材
８６  上面凹部
【図１】
2020008259.tif 000003
【図２】
2020008259.tif 000004
【図３】
2020008259.tif 000005
【図４】
2020008259.tif 000006
【図５】
2020008259.tif 000007
【図６】
2020008259.tif 000008
【図７】
2020008259.tif 000009
【図８】
2020008259.tif 000010
【図９】
2020008259.tif 000011
【図１０】
2020008259.tif 000012
【図１１】
2020008259.tif 000013
【図１２】
2020008259.tif 000014
【図１３】
2020008259.tif 000015